(57)【特許請求の範囲】
【請求項１】
庫内に収納された商品をコールド，ホット状態に保存して販売する自動販売機であって、ディスプレイ台上に左右に並べて一列に載置された複数の商品見本に対応して冷温パターンおよび商品価格を表示する複数の液晶表示部を有する横長の商品情報デジタルディスプレイを備えた自動販売機の商品見本展示装置において、前記ディスプレイ台を前記複数の商品見本を載置する商品載置台とこの商品載置台を保持する固定部材とに分割するとともに前記商品載置台を固定部材に対して着脱自在に設け、前記商品情報デジタルディスプレイを、その左右端部が前記固定部材の左右ブラケットから外側に突出する態様で前記固定部材の前面に装着して取付け、前記固定部材から取外した商品載置台を商品情報デジタルディスプレイの左右端部に係止保持するようにしたことを特徴とする自動販売機の商品見本展示装置。
【請求項２】
請求項１記載の自動販売機の商品見本展示装置において、商品載置台は商品見本を展示する上面壁の両端から下方に延在する左右側壁に商品情報デジタルディスプレイの左右端部の外郭に嵌合して商品載置台を前傾姿勢に傾倒させる切欠を有することを特徴とする自動販売機の商品見本展示装置。
【請求項３】
請求項２記載の自動販売機の商品見本展示装置において、商品載置台の左右側壁の切欠における商品情報デジタルディスプレイの前面と当接する箇所にクッション材を有することを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に複数の商品見本を左右に並べて展示した自動販売機の商品見本展示装置に関するものである。
【背景技術】
【０００２】
この種の従来の自動販売機の商品見本展示装置について図５〜図７を用いて説明する。図５は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下部には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。さらに、外扉２０の前面には、硬貨識別装置２０１に連通する硬貨投入口、紙幣識別装置２０２に連通する紙幣挿入口、硬貨返却口、返却レバーおよびロック付ハンドル、商品取出口２０３などが設けられている。
【０００４】
前記ディスプレイ台７０は、図６に示すように、中扉６０に固定された左右一対の固定部材７１（図では正面視右側の固定部材７１のみを示す）とこの左右一対の固定部材７１に着脱自在に装着される商品載置台７２からなる。左右一対の固定部材７１は商品載置台７２の腕木となるものであり、図６の（ｂ）に示すように平面断面が略コ字形に形成され、上面に向けて一部が開放した異形溝７１０が形成されている。前記異形溝７１０は、前半域の円弧状溝部７１０ａと、該円弧状溝部７１０ａに連ねて後半域に形成したスライド溝部７１０ｂと、前記円弧状溝部７１０ａとスライド溝部７１０ｂとの中間位置から固定部材７１の上面部７１２との間に切欠き開口した挿脱溝部７１０ｃとを組合せた形状になる。一方、前記商品載置台７２は上面壁７２１と、この上面壁７２１の両端から下方に延在された左右側壁７２２と、前記上面壁７２１の前面側から下方に延在するとともにその下端に前方側に折り曲げて形成したガイド部７２３ａが長手方向に延在して設けられた前面壁７２３を有して下方が開放する縦断面略コ字形に形成されている。前記上面壁７２１には商品見本８０を嵌合保持する係合穴７２１Ａが左右方向に複数並設されている。また、前記商品載置台７２の左右側壁７２２には内側に向かって突出するピン７２２Ａが取付けられている。なお、商品載置台７２の前面壁７２３のガイド部７２３ａには各商品見本８０に対応する商品のコールド，ホット状態を表す冷温パターンを表示する冷温表示板７３および商品の価格情報を表示する価格表示板７４が装着される。
【０００５】
前記左右一対の固定部材７１の異形溝７１０は商品載置台７２の左右側壁７２２に取付けられたピン７２２Ａが通過可能な大きさに形成されている。前記商品載置台７２は前記左右一対の固定部材７１の上方から固定部材７２に被せるように組付けられる。その際、異形溝７１０の挿脱溝部７１０ｃを通してピン７２２Ａを異形溝７１０内に挿入した上で、ピン７２２Ａを異形溝７２２の後半領域のスライド溝部７１０ｂに移動（スライド）させることにより商品載置台７２が展示位置にセットされる一方、前記ピン７２２Ａを異形溝７１０の前半領域の円弧状溝部７１０ａに移動（スライド）させた上で、ピン７２２Ａを揺動支点として図７に示すように商品載置台７２を前傾姿勢に傾倒させることにより中扉６０の清掃や商品見本８０の交換などのメンテナンス作業を行うことができる（例えば、特許文献１）。
【先行技術文献】
【特許文献】
【０００６】
【特許文献１】特許第３６４４３０１号公報
【発明の概要】
【発明が解決しようとする課題】
【０００７】
ところで、特許文献１に開示された冷温表示板７３は透明材料により形成されるとともに商品のコールド・ホット状態を表す冷温パターン（寒色の背景に白抜きＣＯＬＤの文字、または、暖色の背景に白抜きのＨＯＴの文字）が印刷され、また、価格表示板７４は透明材料により形成されるとともに商品見本８０に対応する位置に「￥１２０」などの商品価格が印刷されている。このため、季節の変わり目などに自動販売機の庫内における商品収納室の冷却／加熱状態を変更した場合にはその変更状態に応じた冷温パターンが印刷された新たな冷温表示板と差し替えねばならず、また、自動販売機で取り扱う商品の商品価格が変更された場合には新たな価格表示板７４と差し替えねばならない。したがって、庫内の商品収納室におけるコールド・ホット状態を変更する場合や商品価格を変更する際に手間がかかるという問題を有する。そこで、前記冷温表示板７３，価格表示板７４に替えて液晶ディスプレイ（ＬＣＤ）を備えた商品情報デジタルディスプレイを用いて冷温表示（寒色である青色，暖色である赤色）を行うとともに価格表示を行うことが考えられる。ところが、ただ単に冷温表示板７３，価格表示板７４に替えて商品情報デジタルディスプレイを装着した場合、商品情報デジタルディスプレイは前記冷温表示板７３，価格表示板７４に対して厚みを有することから特許文献１に開示された発明のように商品載置台を前傾姿勢に傾倒させることができなくなる。この場合、異形溝７１０の形状やピン７２２Ａの位置を変更することが考えられるが、ディスプレイ台７０の内部には照明光源である蛍光灯やソケットが配設されるために異形溝７１０の形状やピン７２２Ａの位置を変更することはできない。そのため、商品情報デジタルディスプレイを採用した場合には、中扉の清掃や商品見本の交換などのメンテナンス作業を行う際に商品載置台を固定部材から取外して床面などに置いておかねばならないので、メンテナンス作業が煩雑である。また、商品載置台を床面などに置く際に商品載置台が破損したり、商品載置台を踏み付けたり躓いたりするおそれがあるという課題を有する。
【０００８】
そこで、本発明は上記の点に鑑みなされたものであり、その目的は前記課題を解決し、商品情報デジタルディスプレイを採用した場合にも商品見本を展示する商品載置台をディスプレイ台の近傍に係止保持することが可能な自動販売機の商品搬出装置を提供することにある。
【課題を解決するための手段】
【０００９】
上記目的を達成するために請求項１に係る発明は、庫内に収納された商品をコールド，ホット状態に保存して販売する自動販売機であって、ディスプレイ台上に左右に並べて一列に載置された複数の商品見本に対応して冷温パターンおよび商品価格を表示する複数の液晶表示部を有する横長の商品情報デジタルディスプレイを備えた自動販売機の商品見本展示装置において、前記ディスプレイ台を前記複数の商品見本を載置する商品載置台とこの商品載置台を保持する固定部材とに分割するとともに前記商品載置台を固定部材に対して着脱自在に設け、前記商品情報デジタルディスプレイを、その左右端部が前記固定部材の左右ブラケットから外側に突出する態様で前記固定部材の前面に装着して取付け、前記固定部材から取外した商品載置台を商品情報デジタルディスプレイの左右端部に係止保持するようにしたことを特徴とする。
【００１０】
また、請求項２に係る発明は、請求項１に記載の自動販売機の商品見本展示装置において、商品載置台は商品見本を展示する上面壁の両端から下方に延在する左右側壁に商品情報デジタルディスプレイの左右端部の外郭に嵌合して商品載置台を前傾姿勢に傾倒させる切欠を有することを特徴とする。
【００１１】
また、請求項３に係る発明は、請求項２に記載の自動販売機の商品見本展示装置において、商品載置台の左右側壁の切欠における商品情報デジタルディスプレイの前面と当接する箇所にクッション材を有することを特徴とする。
【発明の効果】
【００１２】
本発明の請求項１に係る自動販売機の商品見本展示装置によれば、庫内に収納された商品をコールド，ホット状態に保存して販売する自動販売機であって、ディスプレイ台上に左右に並べて一列に載置された複数の商品見本に対応して冷温パターンおよび商品価格を表示する複数の液晶表示部を有する横長の商品情報デジタルディスプレイを備えた自動販売機の商品見本展示装置において、前記ディスプレイ台を前記複数の商品見本を載置する商品載置台とこの商品載置台を保持する固定部材とに分割するとともに前記商品載置台を固定部材に対して着脱自在に設け、前記商品情報デジタルディスプレイを、その左右端部が前記固定部材の左右ブラケットから外側に突出する態様で前記固定部材の前面に装着して取付け、前記固定部材から取外した商品載置台を商品情報デジタルディスプレイの左右端部に係止保持するようにしたことにより、清掃や商品見本の交換などのメンテナンス作業を行う際、前記固定部材から取外した商品載置台を床面などに置くことなく商品情報デジタルディスプレイに係止保持できるので、メンテナンス作業を効率的に行うことができ、また、メンテナンス作業時に商品載置台が破損するのを防止することができるという効果を有する。
【００１３】
また、本発明の請求項２に係る自動販売機の商品見本展示装置よれば、請求項１に記載の自動販売機の商品見本展示装置において、商品載置台は商品見本を展示する上面壁の両端から下方に延在する左右側壁に商品情報デジタルディスプレイの左右端部の外郭に嵌合して商品載置台を前傾姿勢に傾倒させる切欠を有することにより、商品載置台を商品情報デジタルディスプレイに係止保持した際に従来装置と同様に商品載置台を前傾姿勢に傾倒させることができるので、ディスプレイ台の背後の清掃や商品見本の交換などのメンテナンス作業を容易にすることができるという効果を有する。
【００１４】
また、本発明の請求項３に係る自動販売機の商品見本展示装置によれば、請求項２に記載の自動販売機の商品見本展示装置において、商品載置台の左右側壁の切欠における商品情報デジタルディスプレイの前面と当接する箇所にクッション材を有することにより、商品載置台を商品情報デジタルディスプレイに係止保持した際に前記切欠によって商品情報デジタルディスプレイが傷ついて見栄えを損なうことがないという効果を有する。
【図面の簡単な説明】
【００１５】
【図１】本発明の実施の形態に係る自動販売機の商品見本展示装置を示し、（ａ）はセット状態におけるディスプレイ台の要部斜視図、（ｂ）はメンテナンス状態におけるディスプレイ台の要部斜視図である。
【図２】図１に示したディスプレイ台を示し、（ａ）はディスプレイ台の分解斜視図、（ｂ）は（ａ）の右端側の拡大斜視図である。
【図３】図２に示した商品載置台の右側側壁を示し、（ａ）は前方斜め上方から見た拡大斜視図、（ｂ）は後方斜め下方から見た拡大斜視図である。
【図４】図１に示した商品見本展示装置を示し、（ａ）および（ｂ）はそれぞれ図１の（ａ）および（ｂ）の側面図である。
【図５】本発明が対象とする自動販売機の一例を示す斜視図である。
【図６】従来装置におけるディスプレイ台の正面時右端側の拡大図であり、（ａ）は商品載置台を固定部材に組付けた状態の斜視図、（ｂ）は固定部材の斜視図である。
【図７】図５におけるディスプレイ台の商品載置台を前傾姿勢に傾倒させた状態を示す右側面図である。
【発明を実施するための形態】
【００１６】
以下、本発明の実施の形態に係る自動販売機の商品見本展示装置について添付図面を参照して説明する。なお、本発明の実施の形態に係る自動販売機の商品見本展示装置が従来装置と相違する点はディスプレイ台のみであり、ここでは従来装置と相違するディスプレイ台について説明することとし、また、自動販売機の全体構成は図５に示したものと同一であるので適宜図５を参照しつつ説明を行う。
【００１７】
図１において、１はディスプレイ台であり、このディスプレイ台１は鋼板製の固定部材２と商品載置台３とからなる。前記固定部材２は商品載置台３を支持する腕木としてのブラケット２１（図２参照）を有し、当該ブラケット２１が中扉６０（図４参照）に係止固定されている。４は液晶ディスプレイ（ＬＣＤ）を備えた商品情報デジタルディスプレイであり、商品載置台３に載置された複数の商品見本８０に対応して当該商品見本８０のコールド，ホット状態を表す冷温表示および商品価格の液晶表示部４１を備えている。５は左右方向に延在する鋼板製の取付金具であり、前記固定部材２にねじ止めされて商品情報デジタルディスプレイ４の下部を保持するものである。
【００１８】
前記固定部材２は、図２に示すように左右のブラケット２１を天板２２により連結してなり、天板２２には複数の開口２２１が形成されるとともに天板２２の前縁には前方斜め上方に折り曲げられた係止片２２２が設けられている。前記固定部材２の左右のブラッケット２１は左右対称であるので、ここでは正面視右側のブラケット２２を代表として説明する。前記ブラッケット２１には上面に向けて開放した挿脱溝部２１ａが形成されるとともに前縁に商品情報デジタルディスプレイ４を係止する係止部２１ｂ、およびねじＳが螺合するねじ穴２１ｃが形成されている。前記ブラケット２１の後縁には内方に向けて折り曲げられた後壁２３（図２の（ａ）参照）が形成され、この後壁２３に切起しにより係止片２３１が形成されている。この係止片２３１を中扉６０（図４参照）に設けた係止穴に嵌合させることにより固定部材２が中扉６０に係止固定される。
【００１９】
前記商品載置台３は、図２に示すように、上面壁３１の両端から下方に延在された左右側壁３２を備えてなり、上面壁３１には商品見本８０を嵌合保持する係合穴３１１が左右方向に複数並設されている。前記商品載置台３の左右側壁３２は左右対称であるので、ここでは正面視右側の側壁３２を代表として説明する。前記側壁３２には、前方斜め下方向に開放した切欠３３が形成されている。また、前記側壁３２には、図３に拡大して示すように、内側に向けて切起した当接片３４が形成されており、この当接片３４にはクッション材３５が設けられている。前記クッション材３５としてはゴムなどを用いることができる。
【００２０】
前記商品情報デジタルディスプレイ４は、図２に示すように、液晶表示部４１が実装された回路基板を内蔵する横長のデジタル表示ユニット４２の前面に白色塗装が施された化粧枠４３を組付けてなるものである。前記化粧枠４３には液晶表示部４１に対応する箇所に窓４３１が形成されており、化粧枠４３の上端部は後方斜め下方に向けて傾斜した係合片４３２が形成されている。この係合片４３２は固定部材２の天板２２に形成された係止片２２２に係合するものである（図４参照）。
【００２１】
前記取付金具５は縦断面が略Ｌ字形に形成された鋼板製になり、白色塗装が施されている。また、前記取付金具５の前面側の板面（Ｌ次形における長辺側の板面）には階段状の段差部５１（図２の（ｂ）参照）が形成されているとともにねじＳが挿通するねじ挿通穴５２が穿孔されている。
【００２２】
次に、ディスプレイ台１の組立てについて説明すると、まず、左右一対の固定部材２を中扉６０（図４参照）に取付ける。この固定部材２の中扉６０への取付けは、左右ブラケット２１の後壁２３に切起しにより形成された係止片２３１を中扉６０の所定位置に穿孔した係合穴に嵌合させることにより固定部材２が中扉６０に固着される。次いで、中扉６０に固着された固定部材２の左右ブラケット２１に対して商品載置台３を、固定部材２の上方から被せるように装着する。この場合、商品載置台３の左右側壁３２に内側に向けて切起した当接片３４を左右ブラケット２１の挿脱溝部２１ａに対峙させた上で、商品載置台３を固定部材２に被せる。そして、商品載置台３の上面壁３１が固定部材２の天板２２に当接すると、商品載置台３の左右側壁３２の当接片３４が左右ブラケット２１の挿脱溝部２１ａに嵌合した状態で固定部材２にセットされる。ここで、商品載置台３の左右側壁３２に内側に向けて切起した当接片３４が固定部材２の挿脱溝部２１ａに嵌合しているので、商品載置台３の前後方向への移動が規制される。
【００２３】
次いで、前記商品情報デジタルディスプレイ４を中扉６０（図４参照）に固着された前記固定部材２に次のように組付ける。すなわち、商品情報デジタルディスプレイ４の背面を固定部材２の左右ブラケット２１の前縁に当接させ、その際、商品情報デジタルディスプレイ４の下面を左右ブラケット２１の係止部２１ｂの上方に位置させた上で、商品情報デジタルディスプレイ４を左右ブラケット２１の前縁に沿わせた状態で商品情報デジタルディスプレイ４の下面が左右ブラケット２１の係止部２１ｂに当接するまで下方にスライドさせる。前記商品情報デジタルディスプレイ４の下面が前記係止部２１ｂに当接すると商品情報デジタルディスプレイ４が固定部材２に位置決めされるとともに前記商品情報デジタルディスプレイ４における化粧枠４３の係合片４３２が固定部材２の天板２２の前縁に形成した係止片２２２に係合する。この状態で取付金具５を、その段差部５１が商品情報デジタルディスプレイ４の下面に沿うように配設し、ねじＳにより左右ブラケット２１にねじ止めする。これにより、商品情報デジタルディスプレイ４が固定部材２に固定される。なお、前記固定部材２の左右ブラケット２１の外扉６０（図４参照）への固着位置を適宜定めることにより、商品情報デジタルディスプレイ４の左右端部は、当該左右ブラケット２１よりも外側に突出しているものである。
【００２４】
前述したように固定部材２に商品載置台３をセットするとともに固定部材２に商品情報デジタルディスプレイ４を取付けたディスプレイ台１は、図１の（ａ）および図４の（ａ）に示すように、商品載置台３に載置された複数の商品見本８０を起立姿勢で展示している。そして、ディスプレイ台１の前面に位置する商品情報デジタルディスプレイ４における各液晶表示部４１にそれぞれの商品見本８０のコールド，ホット状態を表す冷温状態および商品価格が表示される。なお、商品情報デジタルディスプレイ４の下部を保持する取付金具５は、図５に示したディスプレイ室５０の前面の透明板４０に設けられた商品選択ボタンユニット９０の背後に位置しており、自動販売機の正面からは商品選択ボタンユニット９０に隠れて見えないようになっている。
【００２５】
さて、ディスプレイ室５０（図５参照）の清掃，ディスプレイ台１に展示された商品見本８０の交換などのメンテナンス作業を行う際には、図５に示すように本体キャビネット１０から外扉２０を開放した上で、外扉２０から中扉６０を開放させてディスプレイ台１を露出させる。そして、固定部材２にセットされた商品載置台３を上方に移動させて固定部材２から取り外す。次いで、商品載置台３の左右側壁３２に形成した切欠３３を商品情報デジタルディスプレイ４の左右端部に差し込んで係止させると、商品載置台３が前傾姿勢の状態に保持される。この場合、商品載置台３の左右側壁３２に内側に向けて切起した当接片３４が商品情報デジタルディスプレイ４の前面に当接するが、当該当接片３４の商品情報デジタルディスプレイ４との当接面側には商品情報デジタルディスプレイ４の前面に向けて突出するクッション材３５が貼着されており、このクッション材３５が商品情報デジタルディスプレイ４の前面に当接することにより商品載置台３が前傾姿勢に係止されるように構成されている。このため、前記切欠３３の縁が商品情報デジタルディスプレイ４（デジタル表示ユニット４２の前面に配設されるとともに白色塗装が施された化粧枠４３）の前面に当接して塗装を剥がすようなおそれがない。このように、固定部材２から取外した商品載置台３を商品情報デジタルディスプレイ４に前傾姿勢に係止保持した状態で、外扉６０の拭き作業や商品載置台３の上面壁３１に溜まった塵埃を払い落とす清掃作業、若しくは商品載置台３に展示された商品見本８０の交換などのメンテナンス作業を行うことができるので、そのメンテナンス作業を簡単に行うことができる。清掃や商品見本８０の交換などを完了した後は商品載置台３を元の位置に戻す、つまり、商品情報デジタルディスプレイ４から商品載置台３を取外した上で固定部材２にセットしてメンテナンス作業を終了する。
【００２６】
前述したように本発明の実施の形態に係る自動販売機の商品見本展示装置によれば、庫内に収納された商品をコールド，ホット状態に保存して販売する自動販売機であって、ディスプレイ台１上に左右に並べて一列に載置された複数の商品見本８０に対応して冷温パターンおよび商品価格を表示する複数の液晶表示部４１を有する横長の商品情報デジタルディスプレイ４を備えた自動販売機の商品見本展示装置において、前記ディスプレイ台１を前記複数の商品見本を載置する商品載置台３とこの商品載置台３を保持する固定部材２とに分割するとともに前記商品載置台３を固定部材２に対して着脱自在に設け、前記商品情報デジタルディスプレイ４を、その左右端部が前記固定部材２の左右ブラケット２１，２１から外側に突出する態様で前記固定部材２の前面に装着して取付け、前記固定部材２から取外した商品載置台３を商品情報デジタルディスプレイ４の左右端部に係止保持するようにしたことにより、清掃や商品見本８０の交換などのメンテナンス作業を行う際、前記固定部材２から取外した商品載置台３を床面などに置くことなく商品情報デジタルディスプレイ４に係止保持できるので、メンテナンス作業時に商品載置台３が破損するのを防止することができるという効果を有する。
【００２７】
なお、前述した実施の形態に係る自動販売機の商品見本展示装置における商品載置台３の左右側壁３２に内側に向けて切起した当接片３４を設け、この当接片３４にクッション材３５を設けて商品情報デジタルディスプレイ４に当接させるようにしたものについて説明したが、これに限るものではない。例えば、商品載置台３の左右側壁３２に形成した切欠３３の周縁をクッション材（ゴムなど）で被覆することもできるものである。したがって、前述した実施の形態によりこの発明が限定されるものではない。
【符号の説明】
【００２８】
１…ディスプレイ台、２…固定部材、３…商品載置台、４…商品情報デジタルディスプレイ、５…取付金具、１…本体キャビネット、２０…外扉、２１…挿脱溝部、３０…内扉、３１…上面壁、３２…側壁、３３…切欠、３４…当接片、３５…クッション材、４１…液晶表示部、４２…デジタル表示ユニット、５０…ディスプレイ室、６０…中扉。
【図１】
0005664093.tif 000002
【図２】
0005664093.tif 000003
【図３】
0005664093.tif 000004
【図４】
0005664093.tif 000005
【図５】
0005664093.tif 000006
【図６】
0005664093.tif 000007
【図７】
0005664093.tif 000008